(57)【要約】【課題】支持ブロックをチルト方向に動かすために要する消費電力を低減する。【解決手段】光ピックアップ１０４は支持ブロック３およびレンズホルダ２を有し、支持ブロック３は第３の駆動手段５によりチルト角を変化させる方向に移動される。フレキシブル基板７０の長さ方向の一端は支持ブロック３に取着され、フレキシブル基板７０の長さ方向の他端は、筐体内の移動しない箇所に取着されている。フレキシブル基板７０の第３延在部７４は、第３延在部７４の幅方向の中間部で長さ方向に延在するスリット７４０２と、スリット７４０２の両側においてスリット７４０２が形成されていない部分よりも小さい幅で長さ方向に延在する細幅部７４０４で構成され、第３延在部７４の剛性が弱められている。【選択図】        図１３
2006202380.tif 000002
【特許請求の範囲】
【請求項１】
ベースと、
前記ベース上に設けられた支持ブロックと、
前記ベース上に設けられ光源から出射された光ビームを集光して光ディスクに照射する対物レンズを保持するレンズホルダと、
前記支持ブロックとレンズホルダとを連結し前記支持ブロックに対して前記レンズホルダをフォーカス方向とトラッキング方向とに移動可能に支持する第１の支持手段と、
前記ベースと前記支持ブロックとを連結しラジアル方向のチルト角が変化する方向に前記ベースに対して前記支持ブロックを移動可能に支持する第２の支持手段と、
前記レンズホルダをフォーカス方向に動かす第１の駆動手段と、
前記レンズホルダをトラッキング方向に動かす第２の駆動手段と、
前記支持ブロックを、前記ラジアル方向のチルト角が変化する方向に動かす第３の駆動手段と、
前記第１乃至第３駆動手段に電気信号を供給するフレキシブル基板とを備え、
前記フレキシブル基板は長さと、この長さと直交する方向の幅を有し、
前記フレキシブル基板は前記長さ方向の一端が前記支持ブロックに取着され、
前記支持ブロックから離れた箇所を延在する前記フレキシブル基板の長さ方向の中間の部分は、幅方向の中間部で前記長さ方向に延在するスリットと、前記スリットの両側において前記スリットが形成されていない部分よりも小さい幅で前記長さ方向に延在する細幅部とで構成されている、
ことを特徴とする光ピックアップ。
【請求項２】
前記スリットと細幅部で構成された前記フレキシブル基板の部分は、前記フォーカス方向と平行する方向に延在していることを特徴とする請求項１記載の光ピックアップ。
【請求項３】
前記スリットは幅方向に間隔をおいて２つ以上設けられ、前記細幅部は３つ以上設けられていることを特徴とする請求項１記載の光ピックアップ。
【請求項４】
前記スリットと細幅部とで構成された前記フレキシブル基板の長さ方向の中間の部分は、他の部分よりも大きな幅で構成されていることを特徴とする請求項１記載の光ピックアップ。
【請求項５】
ベースと、
前記ベース上に設けられた支持ブロックと、
前記ベース上に設けられ光源から出射された光ビームを集光して光ディスクに照射する対物レンズを保持するレンズホルダと、
前記支持ブロックとレンズホルダとを連結し前記支持ブロックに対して前記レンズホルダをフォーカス方向とトラッキング方向とに移動可能に支持する第１の支持手段と、
前記ベースと前記支持ブロックとを連結しラジアル方向のチルト角が変化する方向に前記ベース上において第１の仮想中心を中心に前記支持ブロックを揺動可能に支持する第２の支持手段と、
前記レンズホルダをフォーカス方向に動かす第１の駆動手段と、
前記レンズホルダをトラッキング方向に動かす第２の駆動手段と、
前記支持ブロックを、前記ラジアル方向のチルト角が変化する方向に動かす第３の駆動手段と、
前記第１乃至第３駆動手段に電気信号を供給するフレキシブル基板とを備え、
前記フレキシブル基板は、前記支持ブロックに取着される接続部と、この接続部から突設され前記支持ブロックから離れた箇所を延在する延在部を有し、
前記接続部と延在部の境目は、タンジェンシャル方向から見て前記第１の仮想中心の近傍に位置している、
ことを特徴とする光ピックアップ。
【請求項６】
前記第１の仮想中心と前記対物レンズの主点とはほぼ一致していることを特徴とする請求項５記載の光ピックアップ。
【請求項７】
ベースと、
前記ベース上に設けられた支持ブロックと、
前記ベース上に設けられ光源から出射された光ビームを集光して光ディスクに照射する対物レンズを保持するレンズホルダと、
前記支持ブロックとレンズホルダとを連結し前記支持ブロックに対して前記レンズホルダをフォーカス方向とトラッキング方向とに移動可能に支持する第１の支持手段と、
前記ベースと前記支持ブロックとを連結しラジアル方向のチルト角が変化する方向に前記ベースに対して前記支持ブロックを移動可能に支持する第２の支持手段と、
前記レンズホルダをフォーカス方向に動かす第１の駆動手段と、
前記レンズホルダをトラッキング方向に動かす第２の駆動手段と、
前記支持ブロックを、前記ラジアル方向のチルト角が変化する方向に動かす第３の駆動手段と、
前記第１乃至第３駆動手段に電気信号を供給するフレキシブル基板とを備え、
前記フレキシブル基板は、前記支持ブロックに取着される接続部と、この接続部から突設され前記支持ブロックから離れた箇所を延在する延在部を有し、
前記延在部は前記トラッキング方向と平行する方向に延在している、
ことを特徴とする光ピックアップ。
【請求項８】
前記延在部は前記トラッキング方向とタンジェンシャル方向を含む面に対して平行する面上を延在していることを特徴とする請求項７記載の光ピックアップ。
【請求項９】
前記接続部は前記トラッキング方向とフォーカス方向を含む面に対して平行する面上を延在していることを特徴とする請求項７記載の光ピックアップ。
【請求項１０】
前記ラジアル方向のチルト角は、前記対物レンズの光軸と、該光軸を通り光ディスクの半径方向に延在する仮想線とのなす角度が９０度に対してずれている差分の角度であることを特徴とする請求項１または５または７記載の光ピックアップ。
【請求項１１】
前記フォーカス方向は、前記光ディスクの厚さ方向であり、前記トラッキング方向は、前記光ディスクの半径方向であることを特徴とする請求項１または５または７記載の光ピックアップ。
【請求項１２】
前記タンジェンシャル方向は、前記光ディスクの接線方向であることを特徴とする請求項５または８記載の光ピックアップ。
【請求項１３】
前記第１の支持手段は、前記対物レンズの光軸と、該光軸を通り光ディスクの半径方向に延在する仮想線とのなす角度が９０度に対してずれている差分の角度をラジアル方向のチルト角とした場合に、前記レンズホルダを前記チルト角を変えずに前記フォーカス方向と前記トラッキング方向とに移動可能に支持することを特徴とする請求項１または５または７記載の光ピックアップ。
【請求項１４】
前記ベースは筐体内において前記トラッキング方向に移動可能に設けられており、前記フレキシブル基板の長さ方向の他端は前記筐体内の移動しない箇所に取着されていることを特徴とする請求項１記載の光ピックアップ。
【請求項１５】
前記ベースは筐体内において前記トラッキング方向に移動可能に設けられており、前記接続部は、前記フレキシブル基板の長さ方向の一端に形成され、前記フレキシブル基板の長さ方向の他端は前記筐体内の移動しない箇所に取着されていることを特徴とする請求項５または７記載の光ピックアップ。
【請求項１６】
光ディスクを保持して回転駆動する駆動手段と、
前記駆動手段によって回転駆動する光ディスクに対し光源から記録及びまたは再生用の光ビームを照射し、前記照射された光ビームの前記光記録媒体での反射光による反射光ビームを検出する光ピックアップとを有する光ディスク装置であって、
前記光ピックアップは、
ベースと、
前記ベース上に設けられた支持ブロックと、
前記ベース上に設けられ前記光源から出射された光ビームを集光して光ディスクに照射する対物レンズを保持するレンズホルダと、
前記支持ブロックとレンズホルダとを連結し前記支持ブロックに対して前記レンズホルダをフォーカス方向とトラッキング方向とに移動可能に支持する第１の支持手段と、
前記ベースと前記支持ブロックとを連結しラジアル方向のチルト角が変化する方向に前記ベースに対して前記支持ブロックを移動可能に支持する第２の支持手段と、
前記レンズホルダをフォーカス方向に動かす第１の駆動手段と、
前記レンズホルダをトラッキング方向に動かす第２の駆動手段と、
前記支持ブロックを、前記ラジアル方向のチルト角が変化する方向に動かす第３の駆動手段と、
前記第１乃至第３駆動手段に電気信号を供給するフレキシブル基板とを備え、
前記フレキシブル基板は長さと、この長さと直交する方向の幅を有し、
前記フレキシブル基板は前記長さ方向の一端が前記支持ブロックに取着され、
前記支持ブロックから離れた箇所を延在する前記フレキシブル基板の長さ方向の中間の部分は、幅方向の中間部で前記長さ方向に延在するスリットと、前記スリットの両側において前記スリットが形成されていない部分よりも小さい幅で前記長さ方向に延在する細幅部とで構成されている、
ことを特徴とする光ディスク装置。
【請求項１７】
光ディスクを保持して回転駆動する駆動手段と、
前記駆動手段によって回転駆動する光ディスクに対し光源から記録及びまたは再生用の光ビームを照射し、前記照射された光ビームの前記光記録媒体での反射光による反射光ビームを検出する光ピックアップとを有する光ディスク装置であって、
前記光ピックアップは、
ベースと、
前記ベース上に設けられた支持ブロックと、
前記ベース上に設けられ前記光源から出射された光ビームを集光して光ディスクに照射する対物レンズを保持するレンズホルダと、
前記支持ブロックとレンズホルダとを連結し前記支持ブロックに対して前記レンズホルダをフォーカス方向とトラッキング方向とに移動可能に支持する第１の支持手段と、
前記ベースと前記支持ブロックとを連結しラジアル方向のチルト角が変化する方向に前記ベース上において第１の仮想中心を中心に前記支持ブロックを揺動可能に支持する第２の支持手段と、
前記レンズホルダをフォーカス方向に動かす第１の駆動手段と、
前記レンズホルダをトラッキング方向に動かす第２の駆動手段と、
前記支持ブロックを、前記ラジアル方向のチルト角が変化する方向に動かす第３の駆動手段と、
前記第１乃至第３駆動手段に電気信号を供給するフレキシブル基板とを備え、
前記フレキシブル基板は、前記支持ブロックに取着される接続部と、この接続部から突設され前記支持ブロックから離れた箇所を延在する延在部を有し、
前記接続部と延在部の境目は、タンジェンシャル方向から見て前記第１の仮想中心の近傍に位置している、
ことを特徴とする光ディスク装置。
【請求項１８】
光ディスクを保持して回転駆動する駆動手段と、
前記駆動手段によって回転駆動する光ディスクに対し光源から記録及びまたは再生用の光ビームを照射し、前記照射された光ビームの前記光記録媒体での反射光による反射光ビームを検出する光ピックアップとを有する光ディスク装置であって、
前記光ピックアップは、
ベースと、
前記ベース上に設けられた支持ブロックと、
前記ベース上に設けられ前記光源から出射された光ビームを集光して光ディスクに照射する対物レンズを保持するレンズホルダと、
前記支持ブロックとレンズホルダとを連結し前記支持ブロックに対して前記レンズホルダをフォーカス方向とトラッキング方向とに移動可能に支持する第１の支持手段と、
前記ベースと前記支持ブロックとを連結しラジアル方向のチルト角が変化する方向に前記ベースに対して前記支持ブロックを移動可能に支持する第２の支持手段と、
前記レンズホルダをフォーカス方向に動かす第１の駆動手段と、
前記レンズホルダをトラッキング方向に動かす第２の駆動手段と、
前記支持ブロックを、前記ラジアル方向のチルト角が変化する方向に動かす第３の駆動手段と、
前記第１乃至第３駆動手段に電気信号を供給するフレキシブル基板とを備え、
前記フレキシブル基板は、前記支持ブロックに取着される接続部と、この接続部から突設され前記支持ブロックから離れた箇所を延在する延在部を有し、
前記延在部は前記トラッキング方向と平行する方向に延在している、
ことを特徴とする光ディスク装置。
【発明の詳細な説明】
【技術分野】
【０００１】
本発明は、光ディスクに信号の記録や再生を行う光ディスク装置および光ディスク装置に用いられる光ピックアップに関する。
【背景技術】
【０００２】
ＤＶＤ（Ｄｉｇｉｔａｌ  Ｖｅｒｓａｔｉｌｅ  Ｄｉｓｋ）などの光ディスクに対して信号の記録あるいは再生あるいは記録および再生を行う光ピックアップは、光スポットを光ディスクの記録面のトラック上に合焦点するため、対物レンズを光ディスクの厚さ方向であるフォーカス方向に移動させるフォーカス駆動機構を備えている。また、光スポットを光ディスクのトラックに追従させるため、対物レンズを光ディスクの半径方向であるトラッキング方向に移動させるトラッキング駆動機構を備えている。
近年、対物レンズをフォーカス方向とトラッキング方向に移動させる機能に加え、対物レンズの光軸が該光軸と交差する光ディスクの半径方向に延在する仮想線となす角度が９０度に対してずれている差分の角度をラジアル方向のチルト角とした場合にこのチルト角を調整する機構を備えた光ピックアップが提案されている（特許文献１）。
この光ピックアップは、ベースと、ベース上に設けられた支持ブロックと、ベース上に設けられ光ビームを光ディスクに照射する対物レンズを保持するレンズホルダと、支持ブロックとレンズホルダとを連結し前記レンズホルダをフォーカス方向とトラッキング方向とに移動可能に支持する第１の支持手段と、ベースと前記支持ブロックとを連結し前記レンズホルダがチルト方向に移動する方向に前記支持ブロックを移動可能に支持する第２の支持手段とを有している。
レンズホルダには、レンズホルダをフォーカス方向およびトラッキング方向に動かすフォーカスコイルおよびトラッキングコイルが設けられている。
ベースには、支持ブロックを、レンズホルダがチルト方向に移動する方向に動かすチルトコイルが設けられている。
これら３つのコイルのうち、レンズホルダに設けられたフォーカスコイルおよびトラッキングコイルに対する駆動信号の供給は、支持ブロックに取着されたフレキシブル基板を介して行われている。
【特許文献１】特開２００４−５９１０号公報
【発明の開示】
【発明が解決しようとする課題】
【０００３】
このような光ピックアップにおいては、支持ブロックがチルト方向に移動される際、支持ブロックに取着されたフレキシブル基板のばね力が反力として作用するため、支持ブロックをチルト方向に動かすために必要な駆動力が前記反力分を見込んだものとしなくてはならず、チルトコイルに供給すべき駆動信号を大きく確保しなくてはならず、消費電力を削減する上で不利があった。
本発明はこのような事情に鑑みなされたもので、その目的は支持ブロックをチルト方向に動かすために要する消費電力を低減する上で有利な光ピックアップおよび光ディスク装置を提供することにある。
【課題を解決するための手段】
【０００４】
上記目的を達成するために本発明の光ピックアップは、ベースと、前記ベース上に設けられた支持ブロックと、前記ベース上に設けられ光源から出射された光ビームを集光して光ディスクに照射する対物レンズを保持するレンズホルダと、前記支持ブロックとレンズホルダとを連結し前記支持ブロックに対して前記レンズホルダをフォーカス方向とトラッキング方向とに移動可能に支持する第１の支持手段と、前記ベースと前記支持ブロックとを連結しラジアル方向のチルト角が変化する方向に前記ベースに対して前記支持ブロックを移動可能に支持する第２の支持手段と、前記レンズホルダをフォーカス方向に動かす第１の駆動手段と、前記レンズホルダをトラッキング方向に動かす第２の駆動手段と、前記支持ブロックを、前記ラジアル方向のチルト角が変化する方向に動かす第３の駆動手段と、前記第１乃至第３駆動手段に電気信号を供給するフレキシブル基板とを備え、前記フレキシブル基板は長さと、この長さと直交する方向の幅を有し、前記フレキシブル基板は前記長さ方向の一端が前記支持ブロックに取着され、前記支持ブロックから離れた箇所を延在する前記フレキシブル基板の長さ方向の中間の部分は、幅方向の中間部で前記長さ方向に延在するスリットと、前記スリットの両側において前記スリットが形成されていない部分よりも小さい幅で前記長さ方向に延在する細幅部とで構成されていることを特徴とする。
また、本発明の光ピックアップは、ベースと、前記ベース上に設けられた支持ブロックと、前記ベース上に設けられ光源から出射された光ビームを集光して光ディスクに照射する対物レンズを保持するレンズホルダと、前記支持ブロックとレンズホルダとを連結し前記支持ブロックに対して前記レンズホルダをフォーカス方向とトラッキング方向とに移動可能に支持する第１の支持手段と、前記ベースと前記支持ブロックとを連結しラジアル方向のチルト角が変化する方向に前記ベース上において第１の仮想中心を中心に前記支持ブロックを揺動可能に支持する第２の支持手段と、前記レンズホルダをフォーカス方向に動かす第１の駆動手段と、前記レンズホルダをトラッキング方向に動かす第２の駆動手段と、前記支持ブロックを、前記ラジアル方向のチルト角が変化する方向に動かす第３の駆動手段と、前記第１乃至第３駆動手段に電気信号を供給するフレキシブル基板とを備え、前記フレキシブル基板は、前記支持ブロックに取着される接続部と、この接続部から突設され前記支持ブロックから離れた箇所を延在する延在部を有し、前記接続部と延在部の境目は、タンジェンシャル方向から見て前記第１の仮想中心の近傍に位置していることを特徴とする。
また、本発明の光ピックアップは、光ピックアップは、ベースと、前記ベース上に設けられた支持ブロックと、前記ベース上に設けられ光源から出射された光ビームを集光して光ディスクに照射する対物レンズを保持するレンズホルダと、前記支持ブロックとレンズホルダとを連結し前記支持ブロックに対して前記レンズホルダをフォーカス方向とトラッキング方向とに移動可能に支持する第１の支持手段と、前記ベースと前記支持ブロックとを連結しラジアル方向のチルト角が変化する方向に前記ベースに対して前記支持ブロックを移動可能に支持する第２の支持手段と、前記レンズホルダをフォーカス方向に動かす第１の駆動手段と、前記レンズホルダをトラッキング方向に動かす第２の駆動手段と、前記支持ブロックを、前記ラジアル方向のチルト角が変化する方向に動かす第３の駆動手段と、前記第１乃至第３駆動手段に電気信号を供給するフレキシブル基板とを備え、前記フレキシブル基板は、前記支持ブロックに取着される接続部と、この接続部から突設され前記支持ブロックから離れた箇所を延在する延在部を有し、前記延在部は前記トラッキング方向と平行する方向に延在していることを特徴とする。
また、本発明の光ディスク装置は、光ディスクを保持して回転駆動する駆動手段と、前記駆動手段によって回転駆動する光ディスクに対し光源から記録及びまたは再生用の光ビームを照射し、前記照射された光ビームの前記光記録媒体での反射光による反射光ビームを検出する光ピックアップとを有する光ディスク装置であって、前記光ピックアップは、ベースと、前記ベース上に設けられた支持ブロックと、前記ベース上に設けられ前記光源から出射された光ビームを集光して光ディスクに照射する対物レンズを保持するレンズホルダと、前記支持ブロックとレンズホルダとを連結し前記支持ブロックに対して前記レンズホルダをフォーカス方向とトラッキング方向とに移動可能に支持する第１の支持手段と、前記ベースと前記支持ブロックとを連結しラジアル方向のチルト角が変化する方向に前記ベースに対して前記支持ブロックを移動可能に支持する第２の支持手段と、前記レンズホルダをフォーカス方向に動かす第１の駆動手段と、前記レンズホルダをトラッキング方向に動かす第２の駆動手段と、前記支持ブロックを、前記ラジアル方向のチルト角が変化する方向に動かす第３の駆動手段と、前記第１乃至第３駆動手段に電気信号を供給するフレキシブル基板とを備え、前記フレキシブル基板は長さと、この長さと直交する方向の幅を有し、前記フレキシブル基板は前記長さ方向の一端が前記支持ブロックに取着され、前記支持ブロックから離れた箇所を延在する前記フレキシブル基板の長さ方向の中間の部分は、幅方向の中間部で前記長さ方向に延在するスリットと、前記スリットの両側において前記スリットが形成されていない部分よりも小さい幅で前記長さ方向に延在する細幅部とで構成されていることを特徴とする。
また、本発明の光ディスク装置は、光ディスクを保持して回転駆動する駆動手段と、前記駆動手段によって回転駆動する光ディスクに対し光源から記録及びまたは再生用の光ビームを照射し、前記照射された光ビームの前記光記録媒体での反射光による反射光ビームを検出する光ピックアップとを有する光ディスク装置であって、前記光ピックアップは、ベースと、前記ベース上に設けられた支持ブロックと、前記ベース上に設けられ前記光源から出射された光ビームを集光して光ディスクに照射する対物レンズを保持するレンズホルダと、前記支持ブロックとレンズホルダとを連結し前記支持ブロックに対して前記レンズホルダをフォーカス方向とトラッキング方向とに移動可能に支持する第１の支持手段と、前記ベースと前記支持ブロックとを連結しラジアル方向のチルト角が変化する方向に前記ベース上において第１の仮想中心を中心に前記支持ブロックを揺動可能に支持する第２の支持手段と、前記レンズホルダをフォーカス方向に動かす第１の駆動手段と、前記レンズホルダをトラッキング方向に動かす第２の駆動手段と、前記支持ブロックを、前記ラジアル方向のチルト角が変化する方向に動かす第３の駆動手段と、前記第１乃至第３駆動手段に電気信号を供給するフレキシブル基板とを備え、前記フレキシブル基板は、前記支持ブロックに取着される接続部と、この接続部から突設され前記支持ブロックから離れた箇所を延在する延在部を有し、前記接続部と延在部の境目は、タンジェンシャル方向から見て前記第１の仮想中心の近傍に位置していることを特徴とする。
また、本発明のディスク装置は、光ディスクを保持して回転駆動する駆動手段と、前記駆動手段によって回転駆動する光ディスクに対し光源から記録及びまたは再生用の光ビームを照射し、前記照射された光ビームの前記光記録媒体での反射光による反射光ビームを検出する光ピックアップとを有する光ディスク装置であって、前記光ピックアップは、ベースと、前記ベース上に設けられた支持ブロックと、前記ベース上に設けられ前記光源から出射された光ビームを集光して光ディスクに照射する対物レンズを保持するレンズホルダと、前記支持ブロックとレンズホルダとを連結し前記支持ブロックに対して前記レンズホルダをフォーカス方向とトラッキング方向とに移動可能に支持する第１の支持手段と、前記ベースと前記支持ブロックとを連結しラジアル方向のチルト角が変化する方向に前記ベースに対して前記支持ブロックを移動可能に支持する第２の支持手段と、前記レンズホルダをフォーカス方向に動かす第１の駆動手段と、前記レンズホルダをトラッキング方向に動かす第２の駆動手段と、前記支持ブロックを、前記ラジアル方向のチルト角が変化する方向に動かす第３の駆動手段と、前記第１乃至第３駆動手段に電気信号を供給するフレキシブル基板とを備え、前記フレキシブル基板は、前記支持ブロックに取着される接続部と、この接続部から突設され前記支持ブロックから離れた箇所を延在する延在部を有し、前記延在部は前記トラッキング方向と平行する方向に延在していることを特徴とする。
【発明の効果】
【０００５】
本発明によれば、支持ブロックがチルト角度を変化する方向に揺動された場合に、支持ブロックに作用するフレキシブル基板の反力が抑制されるので、駆動手段によって発生させる支持ブロックを前記チルト角を変化させる方向の力がより少ないもので済む。
したがって、駆動手段を駆動するための電気信号を抑制でき消費電力を低減する上で有利となる。
【発明を実施するための最良の形態】
【０００６】
本発明は、フレキシブル基板が支持ブロックから離れた箇所を延在するフレキシブル基板の長さ方向の中間の部分を、幅方向の中間部で長さ方向に延在するスリットと、スリットの両側においてスリットが形成されていない部分よりも小さい幅で長さ方向に延在する細幅部とで構成することで上記目的を達成した。
また、本発明は、フレキシブル基板が支持ブロックに接続される接続部と、この接続部から突設され支持ブロックから離れた箇所を延在する延在部の境目を、タンジェンシャル方向から見て支持ブロックの第１の仮想中心の近傍に位置させることで上記目的を達成した。
また、本発明は、フレキシブル基板が支持ブロックに接続される接続部から突設され支持ブロックから離れた箇所を延在するフレキシブル基板の延在部をトラッキング方向と平行する方向に延在させることによって上記目的を実現した。
【実施例１】
【０００７】
以下、本発明による光ピックアップ及びディスク装置の実施の形態を図面に基づいて詳細に説明する。
図１は、本発明の実施例１における光ピックアップを組み込んだ光ディスク装置の構成を示すブロック図である。
【０００８】
図１において、光ディスク装置１０１は、ＣＤ−ＲやＤＶＤ±Ｒ、ＤＶＤ−ＲＡＭなどの光記録媒体としての光ディスク１０２を回転駆動する駆動手段としてのスピンドルモータ１０３と、光ピックアップ１０４と、光ピックアップ１０４をその半径方向に移動させる駆動手段としての送りモータ１０５とを備えている。ここで、スピンドルモータ１０３は、システムコントローラ１０７及びサーボ制御部１０９により所定の回転数で駆動制御される構成になっている。
【０００９】
信号変復調部及びＥＣＣブロック１０８は、信号処理部１２０から出力される信号の変調、復調及びＥＣＣ（エラー訂正符号）の付加を行う。光ピックアップ１０４は、システムコントローラ１０７及びサーボ制御部１０９からの指令に従って回転する光ディスク１０２の信号記録面に対して光ビームを照射する。このような光照射により光ディスク１０２に対する光信号の記録、再生が行われる。
また、光ピックアップ１０４は、光ディスク１０２の信号記録面からの反射光ビームに基づいて、後述するような各種の光ビームを検出し、各光ビームに対応する信号を信号処理部１２０に供給できるように構成されている。
【００１０】
前記信号処理部１２０は、各光ビームに対応する検出信号に基づいてサーボ制御用信号、すなわち、フォーカスエラー信号、トラッキングエラー信号、ＲＦ信号、ランニングＯＰＣ処理に必要なモニタ信号（以下Ｒ−ＯＰＣ信号という）、記録時における光ディスクの回転制御を行うために必要なＡＴＩＰ信号などを生成できるように構成されている。また、再生対象とされる記録媒体の種類に応じて、サーボ制御部１０９、信号変調及びＥＣＣブロック１０８等により、これらの信号に基づく復調及び誤り訂正処理等の所定の処理が行われる。
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００１１】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
光ピックアップ１０４には送りモータ１０５が接続され、送りモータ１０５の回転によって光ピックアップ１０４が光ディスク１０２上の所定の記録トラックまで移動されるように構成されている。スピンドルモータ１０３の制御と、送りモータ１０５の制御と、光ピックアップ１０４の対物レンズを保持するアクチュエータのフォーカシング方向及びトラッキング方向の制御は、それぞれサーボ制御部１０９により行われる。
すなわち、サーボ制御部１０９は、ＡＴＩＰ信号に基づいてスピンドルモータ１０３の制御を行ない、フォーカスエラー信号およびトラッキングエラー信号に基づいてアクチュエータの制御を行う。
また、レーザ制御部１２１は、光ピックアップ１０４におけるレーザ光源を制御するものである。
【００１２】
また、光ディスク装置１０１には、光ディスク１０２の傾きを検出する傾き検出センサ１４０が設けられており、サーボ制御部１０９は、傾き検出センサ１４０の検出信号に対応した極性と大きさのチルト角制御用の駆動信号を生成し、後述する駆動手段５に供給することで対物レンズ７のチルト角を調整するように構成されている。
【００１３】
図２、図３は本発明の実施例１による光ピックアップの分解斜視図、図４は光ピックアップの斜視図、図５は図４のＡ矢視図、図６は図５のＢ矢視図、図７は図５のＣ矢視図、図８は図６のＤＤ線断面図である。
図９は支持手段４がベース１６に取着された状態を示す斜視図、図１０は支持手段４がベース１６に取着された状態を示す説明図である。
図１１は２つの脚片部４６と４つの弾性片部４４，４８の動きを示す説明図である。
図１２はフレキシブル基板の平面図である。
図１３はフレキシブル基板が取着された光ピックアップの斜視図、図１４は図１３のＡ矢視図、図１５はフレキシブル基板を含む光ピックアップの斜視図である。
図１６、図１７はマウント部材に取着された光ピックアップの斜視図、図１８は図１７の平面図、図１９は図１８のＡ矢視図、図２０は図１８のＢ矢視図である。
【００１４】
光ピックアップ１０４は、光を出射する光源としての半導体レーザと、光ディスク１０２の信号記録面からの反射光ビームを検出する光検出素子としてのフォトダイオードと、半導体レーザからの光を光ディスク１０２に導くとともに、前記反射光ビームを前記光検出素子に導く光学系とを有している。
前記光学系は前記光源から出射された光ビームを集光して光ディスクに照射する対物レンズ７を含んで構成されている。
そして、光ピックアップ１０４では、対物レンズ７を配設するに際して、図２〜図７に示すように、ベース２０と、ベース２０上に互いに対向するように配置された支持ブロック３およびレンズホルダ２などが用いられている。
すなわち、対物レンズ７はレンズホルダ２で保持され、これらベース２０、支持ブロック３、レンズホルダ２は、光ディスク装置１０１の筐体内で光ディスク１０２の半径方向に移動可能に設けられたマウント部材６０（図１６参照）上に設けられている。
なお、半導体レーザおよび光検出素子は、ベース２０の下方のマウント部材６０の箇所に配置され、半導体レーザから出射された光ビームが前記光学系を介して光ディスク１０２に出射され、前記光学系を介して前記反射光ビームを受光するように構成されている。
【００１５】
なお、本発明において、図２に示すように、フォーカス方向Ｚとは光ディスク１０２の厚さ方向をいい、トラッキング方向Ｘとは光ディスク１０２の半径方向をいい、タンジェンシャル方向（接線方向）Ｙとは光ディスク１０２の円周の接線方向、すなわちフォーカス方向Ｚおよびトラッキング方向Ｘの双方と直交する方向をいう。また、ラジアル方向のチルト角とは、対物レンズ７の光軸と、該光軸を通り光ディスク１０２の半径方向に延在する仮想線とのなす角度が９０度に対してずれている差分の角度をいう。
図２に示すように、ベース２０はトラッキング方向Ｘに沿った幅と、この幅よりも大きい寸法でタンジェンシャル方向Ｙに沿った長さを有し、ベース２０は長さ方向に並べられた支持ブロック３配設用の支持ブロック収容部２２と、ヨークベース１８配設用のヨークベース取付部２４とを有している。
支持ブロック収容部２２は、枠状の底壁２２０２と、底壁２２０２の幅方向の両側から起立する側壁２２０４とを有している。
側壁２２０２は、底壁２２０４から起立するに従い支持ブロック収容部２２の外側に次第に遠のくように傾斜して形成されている。
また、側壁２２０２の下部には切り欠き２２０６が形成されている。
図７に示すように、ベース２０の長さ方向の両端箇所でベース２０の幅方向の中心には、ベース２０をマウント部材６０に取り付けるためのねじ挿通孔２０２０と、ねじ孔２０２２が形成されている。
【００１６】
支持ブロック３は、第２の支持手段４を介して支持ブロック収容部２２に配設されている。
支持ブロック３は、トラッキング方向Ｘに沿った幅と、この幅よりも小さい寸法でタンジェンシャル方向Ｙに沿った長さと、フォーカス方向Ｚに沿った高さとを有し、トラッキング方向Ｘに沿った支持ブロック３の両側には、それぞれフォーカス方向Ｚに間隔をおいて２つのワイヤ支持部１４が設けられている。
【００１７】
図２、図８〜図１０に示すように、第２の支持手段４は、支持ブロック３をチルト角を変化させる方向に移動可能に支持するもので、支持ブロック３は第３の駆動手段５によりチルト角を変化させる方向に移動される。
第２の支持手段４は、図９、図１０に示すように、ばね部材４０で構成され、ばね部材４０は取り付け板１６を介してベース２０に取着される。
ばね部材４０は均一厚みのばね鋼板を屈曲形成することで構成されるとともに、半田付けが容易に行えるように半田めっきが施されている。
ばね部材４０は、図９、図１０に示すように、支持ブロック３に取着される平坦な支持ブロック用取付片部４２と、支持ブロック用取付片部４２の両端に屈曲して設けられた弾性片部４４と、各弾性片部４４から支持ブロック用取付片部４２に対して鋭角または鈍角をなして延在する平坦な脚片部４６と、各脚片部４６の先端にそれぞれ屈曲して設けられた弾性片部４８と、各弾性片部４８から脚片部４６に対して鋭角または鈍角をなして延在し取り付け板１６に取着される平坦なベース用取付片部５０とを有している。
支持ブロック用取付片部４２と、脚片部４６と、ベース用取付片部５０とは弾性変形しないように形成され（可撓不能に形成され、あるいは、弾性変形不能に形成され）、弾性片部４４、４８は弾性を有するように例えば肉薄に形成されている。
支持ブロック用取付片部４２には、支持ブロック３に取着するための取り付け孔４２０２が２つ形成されている。
【００１８】
図９、図１０に示すように、取り付け板１６は半田付けが可能な金属材料で形成されており、２つの側壁２２０２間に延在する幅と、この幅に対して直交する長さを有する板状部１６０２を備え、板状部１６０２の幅方向の両側から２つの起立片１６０４が上方に起立されている。
板状部１６０２の長さ方向の一方に臨む縁部には、幅方向に間隔をおいて２つの切り欠き１６０６が形成されている。
図１０に示すように、板状部１６０２の各起立片１６０４寄りの箇所には、それぞれ下方に突出するボス１６０８が設けられている。
【００１９】
ばね部材４０の取り付け板１６への取着は次のように行われる。
図９、図１０に示すように、ばね部材４０の各脚片部４６を取り付け板１６の各切り欠き１６０６内に収容して各ベース用取付片部５０を取り付け板１６の板状部１６０２の下面に臨ませる。
次いで、ばね部材４０の各ベース用取付片部５０のボス挿通孔５００４に取り付け板１６の各ボス１６０８を挿通させて位置決めし、この状態で各ベース用取付片部５０の縁部とその縁部に臨む板状部１６０２の下面箇所との間、および、各ベース用取付片部５０のボス挿通孔５００４周辺箇所とボス挿通孔５００４から突出した各ボス１６０８との間を半田付けすることでばね部材４０が取り付け板１６に取着される。
【００２０】
ばね部材４０の支持ブロック３への取着は次のように行われる。
図２、図８に示すように、支持ブロック用取付片部４２の各取り付け孔４２０２が支持ブロック３に設けられた不図示のボスに挿通されて位置決めされ、その状態で支持ブロック３と支持ブロック用取付片部４２が接着剤によって接着される。
【００２１】
ばね部材４０および支持ブロック３が取着された取り付け板１６のベース２０への取着は次のように行われる。
図３〜図５、図１６〜図２０に示すように、取り付け板１６の各起立片１６０４がベース２０の各側壁２２０４に臨むように各側壁２２０４の切り欠き２２０６内に位置させ、その状態で、互いに対向する各起立片１６０４の縁部と切り欠き２２０６の縁部との間を半田付け（あるいは接着）によって接続することでなされる。
このように、ベース２０の側壁２２０２が、底壁２２０４から起立するに従い支持ブロック収容部２２の外側に次第に遠のくように傾斜して形成され、この傾斜した側壁２２０２の切り欠き２２０６に取り付け板１６の起立片１６０４を収容して配置したので、ベース２０の各側壁２２０２の外側の下部寄りの箇所にはスペースが確保される。
したがって、このスペースに他の部材を配置することで光ディスク装置１０１の小型化を図る上で有利となる。
また、光ピックアップ１０４を調整する調整治具を前記スペースを利用して光ピックアップ１０４の内部に挿入することができ様々な調整作業の効率化を図る上で有利となる。
また、各起立片１６０４が各側壁２２０４の切り欠き２２０６内に配置された状態で、各起立片１６０４の上縁と切り欠き２２０６の上縁との間には、図２０に示すように、隙間２２０７が確保されており、したがって、この隙間２２０７を利用して、光ピックアップ１０４を調整する調整治具を光ピックアップ１０４の内部に挿入することができ様々な調整作業の効率化を図る上で有利となる。
【００２２】
これらにより、２つの脚片部４６は、支持ブロック３のトラッキング方向Ｘの中央でフォーカス方向Ｚを通る仮想線に対して線対称となるように配置される。すなわち、２つの脚片部４６は、支持ブロック３とベース２０との間にトラッキング方向Ｘに間隔をおいて設けられ、互いに非平行な状態で延在しベース２０からフォーカス方向Ｚに離れた箇所で、フォーカス方向Ｚおよびトラッキング方向Ｘを含む面内において支持ブロック３を前記チルト角が変化する方向に可動可能に支持している。
そして、本実施例では、支持ブロック３と取り付け板１６と前記２つの脚片部４６で４節リンク機構が構成され、弾性片部４４，４８は、支持ブロック３を、前記チルト角が零となる中立位置に付勢している。
【００２３】
第３の駆動手段５はマグネット５１とボイスコイル５２を備えている。
図２、図８に示すように、マグネット５１は、トラッキング方向Ｘに長さを有しフォーカス方向Ｚに厚さを有する矩形板状を呈し、長さ方向の一側にＳ極が位置し、他側にＮ極が位置する二極着磁マグネットとして構成されている。
マグネット５１は、取り付け板１６の上面に接着剤によって接着されこれによりマグネット５１は取り付け板１６およびベース２０に一体的に取着されている。
ボイスコイル５２は、フォーカス方向Ｚに延在する中心線を中心に巻回され、支持ブロック３が前記中立位置に位置した状態で、ボイスコイル５２の前記中心線がマグネット５１の中心箇所とほぼ一致するように、支持ブロック３がマグネット５１に臨む箇所に接着により取着されている。
したがって、ボイスコイル５２にチルト角制御用の駆動信号（電気信号）が供給されることにより、ボイスコイル５２に磁界が発生しこのボイスコイル５２の磁界とマグネット５１の磁界との磁気相互作用により、支持ブロック３のチルト角を変化させる方向の力が発生し支持ブロック３に前記チルト角を変化させる方向の力が作用する。
【００２４】
レンズホルダ２は、対物レンズ７の半径方向外側で対物レンズ７を囲むように設けられ、その中央部で対物レンズ７を保持している。
レンズホルダ２のトラッキング方向Ｘの両側にはそれぞれ高さ方向に間隔をおいて２つのワイヤ支持部８が設けられている。
そして、トラッキング方向Ｘの一側において、支持ブロック３の２つのワイヤ支持部１４と、レンズホルダ２の２つのワイヤ支持部８とは、それぞれサスペンションワイヤ６ａ、６ｂで連結されている。同様に、支持ブロック３の２つのワイヤ支持部１４と、レンズホルダ２の２つのワイヤ支持部８とは、それぞれサスペンションワイヤ６ｃ、６ｄで連結されている。各サスペンションワイヤ６ａ〜６ｄは導電性および弾性を有する材質で構成されている。
レンズホルダ２は、これら４つのサスペンションワイヤ６ａ〜６ｄを介して支持ブロック３に連結されることで、前記チルト角を変えずに、光ディスク１０２の厚さ方向であるフォーカス方向Ｚと光ディスク１０２の半径方向であるトラッキング方向Ｘとに移動可能に支持されている。
本実施例では、図８に示すように、２つの脚片部４６は、各脚片部４６の延在方向に沿った中心線を対物レンズ７方向に延長させた仮想線Ｌの交点Ｐと、対物レンズ７の主点Ｓとがほぼ一致するように構成されている。
これにより、支持ブロック３は前述した仮想線Ｌの交点Ｐを中心に揺動され、したがって、対物レンズ７はその主点Ｓを中心として前記ラジアル方向のチルト角が変化する方向に揺動される。本実施例では、交点Ｐが特許請求の範囲の第１の仮想中心に相当している。
【００２５】
レンズホルダ２には、サーボ制御部１０９から駆動信号（電気信号）が供給されることでレンズホルダ２を前記フォーカス方向Ｚに移動させる２つのフォーカスコイル１０と、サーボ制御部１０９から駆動信号（電気信号）が供給されることでレンズホルダ２をトラッキング方向Ｘに移動させる２つのトラッキングコイル１１とが設けられている。
本実施例では、フォーカスコイル１０およびトラッキングコイル１１は例えばプリントコイルなどからなる扁平コイルで構成されている。
２つのフォーカスコイル１０と２つのトラッキングコイル１１は、図６に示すように、前記タンジェンシャル方向Ｙにおいて互いに対向するレンズホルダ２の端面箇所にそれぞれトラッキング方向Ｘに沿って間隔をおいて並べられ、２つのフォーカスコイル１０は対物レンズ７の光軸を中心として互いに線対称となる箇所に位置し、２つのトラッキングコイル１１は対物レンズ７の光軸を中心として互いに線対称となる箇所に位置している。
なお、サスペンションワイヤ６ａ、６ｂのレンズホルダ２側の端部はフォーカスコイル１０に設けられた接続端子に半田付けなどで接続されている。同様に、サスペンションワイヤ６ｃ、６ｄのレンズホルダ２側の端部はトラッキングコイル１１に設けられた接続端子に半田付けなどで接続されている。
【００２６】
ベース２０のヨークベース収容部２４には、ヨークベース１８が収容されている。
ヨークベース１８は、フォーカス方向Ｚでレンズホルダ２とベース２０との間の箇所に配設されている。
ヨークベース１８とヨークベース収容部２４には、図７に示すように、対物レンズ７の光軸が通る部分に開口１８０２，２００２がそれぞれ設けられている。
ヨークベース１８のタンジェンシャル方向の両側には一対のヨーク１８ａが立設され、各ヨーク１８ａの互いに対向する面にはフォーカスコイル１０とトラッキングコイル１１に臨むように一対のマグネット１９が取着されている。
したがって、フォーカスコイル１０に駆動信号が供給されることにより、フォーカスコイル１０に発生した磁界と各マグネット１９の磁界との磁気相互作用によってレンズホルダ２がフォーカス方向Ｚに動かされ、トラッキングコイル１１に駆動信号が供給されることにより、トラッキングコイル１１に発生した磁界と各マグネット１９の磁界との磁気相互作用によってレンズホルダ２がトラッキング方向Ｘに動かされる。
本実施例では、サスペンションワイヤ６ａ〜６ｄによって、支持ブロック３とレンズホルダ２とを連結し支持ブロック３に対してレンズホルダ２をフォーカス方向Ｚとトラッキング方向Ｙとに移動可能に支持する第１の支持手段が構成されている。
また、フォーカスコイル１０、ヨークベース１８、マグネット１９によってレンズホルダ２をフォーカス方向Ｚに動かす第１の駆動手段が構成されている。
また、トラッキングコイル１１、ヨークベース１８、マグネット１９によってレンズホルダ２をトラッキング方向Ｘに動かす第２の駆動手段が構成されている。
【００２７】
図３に示すように、支持ブロック３のレンズホルダ２に面した箇所と反対側の箇所には矩形板状のリジッドなプリント基板１５が取着され、このプリント基板１５には複数の導電パターン１５０２が形成されている。
ボイスコイル５２と、サスペンションワイヤ６ａ、６ｂ、６ｃ、６ｄの支持ブロック３側の端部は、プリント基板１５の導電パターン１５０２（図４）に半田付けにより接続され、これによりプリント基板１５はサスペンションワイヤ６ａ、６ｂ、６ｃ、６ｄを介して支持ブロック３に取着される。
このプリント基板１５の導電パターン１５０２には、図１３に示すように、フレキシブル基板７０が接続され、導電パターン１５０２とサーボ制御部１０９とが接続されている。
したがって、フォーカスコイル１０に、サスペンションワイヤ６ａ、６ｂを介してサーボ制御部１０９からのフォーカス用の駆動信号が供給され、トラッキングコイル１１に、サスペンションワイヤ６ｃ、６ｄを介してサーボ制御部１０９からのトラッキング用の駆動信号が供給され、ボイスコイル５２に、プリント基板１５を介してサーボ制御部１０９からのチルト用の駆動信号が供給される。
図１１に示すように、前記チルト角の変化の度合いは、ボイスコイル５２に発生する磁界の方向と磁界の大きさによって決定され、言い換えると、ボイスコイル５２にサーボ制御部１０９から供給される前記チルト角制御用の駆動信号の極性と大きさによって決定される。
【００２８】
図１２に示すように、フレキシブル基板７０は長さと、この長さと直交する方向の幅を有している。
フレキシブル基板７０の長さ方向に一端にはプリント基板１５の輪郭よりも小さい輪郭を有するほぼ長方形状の基板用接続部７１が形成されている。
基板用接続部７１の一方の長辺にはこの長辺と直交する方向に延出する第１延在部７２が突設されている。
第１延在部７２は屈曲部を介して第１延在部７２の延在方向と直交する方向に延在する第２延在部７３に接続され、第２延在部７３は基板用接続部７１と平行して直線状に延在している。
第２延在部７３の先端には、第２延在部７３の延在方向と直交し基板用接続部７１から離れる方向に延在する第３延在部７４が接続され、第３延在部７４の先端には第４延在部７５が接続され、第４延在部７５に接続するフレキシブル基板７０の長さ方向の他端は、光ディスク装置１０１の筐体内の移動しない箇所に設けられたサーボ制御部１０９に接続されている。
【００２９】
図１２に示すように、第３延在部７４は、第２延在部７３および第４延在部７５よりも大きい幅で直線状に延在している。
第３延在部７４は、第３延在部７４の幅方向の中間部で長さ方向に延在するスリット７４０２と、スリット７４０２の両側においてスリット７４０２が形成されていない部分（第２延在部７３および第４延在部７５）よりも小さい幅で長さ方向に延在する細幅部７４０４で構成され、第３延在部７４の剛性が弱められている。
本実施例では、スリット７４０２は幅方向に間隔をおいて２つ設けられ、細幅部７４０４は３つ設けられている。
【００３０】
図１２、図１５に示すように、基板用接続部７１には、プリント基板１５の表面に形成された導電パターン１５０２に対応する導電パターン７１０２が形成されており、双方の導電パターン１５０２，７１０２は半田付けにより電気的に接続され、これにより、基板用接続部７１がプリント基板１５を介して支持ブロック３に取着されている。
【００３１】
ベース２０のマウント部材６０への取着は次のように行われる。
図７、図１８に示すように、ベース２０のねじ挿通孔２０２０にねじ２１０２を挿通してマウント部材６０のねじ孔（不図示）に螺合するとともに、ベース２０のねじ孔２０２２にマウント部材６０側から突出するねじ（不図示）を螺合することでなされる。
なお、図２０に示すように、ねじ２１０２の頭部とベース２０の底壁２２０２との間にはベース２０の底壁２２０２をマウント部材６０の上面箇所に当接する方向に付勢するコイルばね２１０４が配設されており、前記ベース２０のねじ孔２０２２に螺合するマウント部材６０側から突出するねじを回すことにより、ベース２０の傾き、すなわち、タンジェンシャル方向のチルト角が調整可能に構成されている。
タンジェンシャル方向のチルト角とは、対物レンズ７の光軸と、該光軸を通り光ディスク１０２の接線方向（タンジェンシャル方向Ｙ）に延在する仮想線とのなす角度が９０度に対してずれている差分の角度をいう。
【００３２】
このようにベース２０がマウント部材６０に取着され、基板用接続部７１がプリント基板１５に取着された状態で、図１３、図１４、図１６、図１８に示すように、第１延在部７２と基板用接続部７１との境目７００２が折り曲げられ、基板用接続部７１はトラッキング方向Ｘとフォーカス方向Ｚを含む面に対して平行な面上を延在している。
また、第２延在部７３とこの第２延在部７３に接続する第３延在部７４の端部は、トラッキング方向Ｘとタンジェンシャル方向Ｙを含む面上を延在している。より詳細には、第２延在部７３はトラッキング方向Ｘと平行する方向に延在している。
また、第３延在部７４はトラッキング方向Ｘとフォーカス方向Ｚを含む面に対して平行な面上を延在している。より詳細には、第３延在部７４は、フォーカス方向Ｚと平行する方向に延在している。
また、基板用接続部７１がプリント基板１５に取着された状態で、図１４に示すように、境目７００２がタンジェンシャル方向Ｙから見て前述した仮想線Ｌの交点Ｐおよび対物レンズ７の主点Ｓの近傍に位置している。
【００３３】
本実施例によれば、基板用接続部７１がプリント基板１５に取着された状態で、スリット７４０２と細幅部７４０４で構成されたフレキシブル基板７０の第３延在部７４がフォーカス方向Ｚと平行する方向に延在しているため、このようなスリット７４０２と細幅部７４０４が形成されていないフレキシブル基板に比べて、第３延在部７４のばね定数を小さな値にでき、支持ブロック３がチルト角度を変化する方向に揺動された場合に支持ブロック３に作用するフレキシブル基板７０の反力を第３延在部７４により抑制することが可能となる。
また、基板用接続部７１がプリント基板１５に取着された状態で、フレキシブル基板７０の第２延在部７３がトラッキング方向Ｘと平行に延在しているので、支持ブロック３がチルト角度を変化する方向に揺動された場合に、第２延在部７３が撓みやすくなっており、支持ブロック３に作用するフレキシブル基板７０の反力を第２延在部７３により抑制することが可能となる。
さらに、基板用接続部７１がプリント基板１５に取着された状態で、第１延在部７２と基板用接続部７１との境目７００２がタンジェンシャル方向Ｙから見て仮想線Ｌの交点Ｐの近傍に位置しているので、あるいは、対物レンズ７の主点Ｓの近傍に位置しているので、支持ブロック３がチルト角度を変化する方向に揺動された場合に、境目７００２の部分の移動量を小さなものとすることができるため、支持ブロック３に作用するフレキシブル基板７０の反力を抑制することが可能となる。
このように支持ブロック３がチルト角度を変化する方向に揺動された場合に、支持ブロック３に作用するフレキシブル基板７０の反力を抑制することによって、駆動手段５によって発生させる支持ブロック３を前記チルト角を変化させる方向の力がより少ないもので済む。
したがって、ボイスコイル５２に供給する駆動信号の電流を抑制でき消費電力を低減する上で有利となる。
【００３４】
なお、本実施例では、支持ブロック３をばね部材４０で支持し、支持ブロック３を揺動させることにより対物レンズ７のラジアル方向のチルト角を調整する場合について説明したが、対物レンズ７のラジアル方向のチルト角を調整する方式は種々考えられ、本発明は実施例の方式に限定されない。例えば、支持ブロックをタンジェンシャル方向Ｙと平行に延在する軸心を有する軸により揺動可能に支持し、支持ブロック３をこの軸を支点にして揺動させることにより対物レンズ７のチルト角を調整する方式のものにも本発明は無論適用可能である。
【図面の簡単な説明】
【００３５】
【図１】本発明の実施例１における光ピックアップを組み込んだ光ディスク装置の構成を示すブロック図である。
【図２】本発明の実施例１による光ピックアップの分解斜視図である。
【図３】本発明の実施例１による光ピックアップの分解斜視図である。
【図４】光ピックアップの斜視図である。
【図５】図４のＡ矢視図である。
【図６】図５のＢ矢視図である。
【図７】図５のＣ矢視図である。
【図８】図６のＤＤ線断面図である。
【図９】支持手段４がベース１６に取着された状態を示す斜視図である。
【図１０】支持手段４がベース１６に取着された状態を示す説明図である。
【図１１】２つの脚片部４６と４つの弾性片部４４，４８の動きを示す説明図である。
【図１２】フレキシブル基板の平面図である。
【図１３】フレキシブル基板が取着された光ピックアップの斜視図である。
【図１４】図１３のＡ矢視図である。
【図１５】フレキシブル基板を含む光ピックアップの斜視図である。
【図１６】マウント部材に取着された光ピックアップの斜視図である。
【図１７】マウント部材に取着された光ピックアップの斜視図である。
【図１８】図１７の平面図である。
【図１９】図１８のＡ矢視図である。
【図２０】図１８のＢ矢視図である。
【符号の説明】
【００３６】
２……レンズホルダ、３……支持ブロック、６ａ〜６ｄ……サスペンションワイヤ、７……対物レンズ、９……マグネット、１０……フォーカスコイル、１１……トラッキングコイル、２０……ベース、５１……マグネット、５２……ボイスコイル、７０……フレキシブル基板、７１……基板用接続部、７２……第１延在部、７３……第２延在部、７４……第３延在部、７５……第４延在部、７００２……境目、７４０２……スリット、７４０４……細幅部、１０４……光ピックアップ、Ｓ……対物レンズ７の主点、Ｐ……仮想線Ｌの交点。
【図１】
2006202380.tif 000003
【図２】
2006202380.tif 000004
【図３】
2006202380.tif 000005
【図４】
2006202380.tif 000006
【図５】
2006202380.tif 000007
【図６】
2006202380.tif 000008
【図７】
2006202380.tif 000009
【図８】
2006202380.tif 000010
【図９】
2006202380.tif 000011
【図１０】
2006202380.tif 000012
【図１１】
2006202380.tif 000013
【図１２】
2006202380.tif 000014
【図１３】
2006202380.tif 000015
【図１４】
2006202380.tif 000016
【図１５】
2006202380.tif 000017
【図１６】
2006202380.tif 000018
【図１７】
2006202380.tif 000019
【図１８】
2006202380.tif 000020
【図１９】
2006202380.tif 000021
【図２０】
2006202380.tif 000022